(57)【要約】  無線通信方法及びネットワークノードを提供し、通信性能を向上させることができる。該方法は、第１ネットワークノードは第１端末装置の伝送関連情報について少なくとも１つの第２ネットワークノードと通信し、前記第１ネットワークノードと前記第２ネットワークノードは前記第１端末装置にサービスを提供するステップと、前記第１ネットワークノードは前記伝送関連情報に基づき前記第１端末装置をスケジューリングするステップと、を含む。
2020535669.tif 000002
【特許請求の範囲】
【請求項１】
無線通信方法であって、
第１ネットワークノードは第１端末装置の伝送関連情報について少なくとも１つの第２ネットワークノードと通信し、前記第１ネットワークノードと前記第２ネットワークノードは前記第１端末装置にサービスを提供するステップと、
前記第１ネットワークノードは前記伝送関連情報に基づき前記第１端末装置をスケジューリングするステップと、を含むことを特徴とする無線通信方法。
【請求項２】
前記伝送関連情報は、
前記第１端末装置が前記第１ネットワークノードにアップリンク伝送を行う時間領域、周波数領域及び／又はコードドメイン利用可能リソース情報、
前記第１端末装置が前記第１ネットワークノードにアップリンク伝送を行う時の電力上限情報、保証電力情報、
前記第１端末装置が前記第１ネットワークノードにアップリンク伝送を行う時に採用する波形情報、
前記第１端末装置のサウンディング参照信号ＳＲＳで伝送される設定情報、
前記第１端末装置が前記第１ネットワークノードにアップリンク伝送を行う時に採用する送信ビーム情報、
前記第１ネットワークノードが前記第１端末装置からのアップリンク伝送を受信する時に採用する受信ビーム情報、
前記第１端末装置が前記第２ネットワークノードにアップリンク伝送を行う時間領域、周波数領域及び／又はコードドメイン利用可能リソース情報、
前記第１端末装置が前記第２ネットワークノードにアップリンク伝送を行う時の電力上限情報、保証電力情報、
前記第１端末装置が前記第２ネットワークノードにアップリンク伝送を行う時に採用する波形情報、
前記第１端末装置が前記第２ネットワークノードにアップリンク伝送を行う時に採用する送信ビーム情報、
前記第２ネットワークノードが前記第１端末装置からのアップリンク伝送を受信する時に採用する受信ビーム情報、
前記端末装置が前記端末装置と前記第１ネットワークノード及び／又は前記第２ネットワークノードとの間の伝送について報告するパワーヘッドルーム報告ＰＨＲ、
前記端末装置の能力情報のうちの少なくとも１種を含むことを特徴とする請求項１に記載の方法。
【請求項３】
前記第１端末装置の能力パラメータは、前記第１端末装置がサポートするトランスポート層数を含むことを特徴とする請求項２に記載の方法。
【請求項４】
係る前記伝送関連情報の種類は前記第１ネットワークノードと前記第２ネットワークノードとの間の通信リンクの品質指標に関連付けられていることを特徴とする請求項１〜３のいずれか一項に記載の方法。
【請求項５】
前記品質指標は容量、遅延及び信頼性のうちの少なくとも１種を含むことを特徴とする請求項４に記載の方法。
【請求項６】
前記第１ネットワークノードと前記第２ネットワークノードは同時に前記第１端末装置に物理ダウンリンク制御チャネルＰＤＣＣＨ又は物理ダウンリンク共有チャネルＰＤＳＣＨを送信することを特徴とする請求項１〜５のいずれか一項に記載の方法。
【請求項７】
前記第１ネットワークノードと前記第２ネットワークノードは少なくとも周波数領域が部分的に重なるキャリアによって同時に前記第１端末装置にＰＤＣＣＨ又はＰＤＳＣＨを送信することを特徴とする請求項６に記載の方法。
【請求項８】
前記第１ネットワークノードと前記第２ネットワークノードの間は異なる送信ビーム及び／又は異なるアンテナパネルによって前記第１端末装置にダウンリンク伝送を行うことを特徴とする請求項１〜７のいずれか一項に記載の方法。
【請求項９】
前記第１ネットワークノードと前記第２ネットワークノードは同一セルに属し、又は、
前記第１ネットワークノードと前記第２ネットワークノードは異なるセルに属することを特徴とする請求項１〜８のいずれか一項に記載の方法。
【請求項１０】
前記第１端末装置は１つの端末装置であり、又は
前記第１端末装置は少なくとも１つの端末装置グループ中の端末装置からなり、又は
前記第１端末装置は少なくとも１つのセル中の端末装置からなることを特徴とする請求項１〜９のいずれか一項に記載の方法。
【請求項１１】
ネットワークノードであって、端末装置にサービスを提供する第１ネットワークノードであり、
第１端末装置の伝送関連情報について少なくとも１つの第２ネットワークノードと通信し、前記第１ネットワークノードと前記第２ネットワークノードは前記第１端末装置にサービスを提供する通信ユニットと、
前記伝送関連情報に基づき前記第１端末装置をスケジューリングするスケジューリングユニットと、を備えることを特徴とするネットワークノード。
【請求項１２】
前記伝送関連情報は、
前記第１端末装置が前記第１ネットワークノードにアップリンク伝送を行う時間領域、周波数領域及び／又はコードドメイン利用可能リソース情報、
前記第１端末装置が前記第１ネットワークノードにアップリンク伝送を行う時の電力上限情報、保証電力情報、
前記第１端末装置が前記第１ネットワークノードにアップリンク伝送を行う時に採用する波形情報、
前記第１端末装置のサウンディング参照信号ＳＲＳで伝送される設定情報、
前記第１端末装置が前記第１ネットワークノードにアップリンク伝送を行う時に採用する送信ビーム情報、
前記第１ネットワークノードが前記第１端末装置からのアップリンク伝送を受信する時に採用する受信ビーム情報、
前記第１端末装置が前記第２ネットワークノードにアップリンク伝送を行う時間領域、周波数領域及び／又はコードドメイン利用可能リソース情報、
前記第１端末装置が前記第２ネットワークノードにアップリンク伝送を行う時の電力上限情報、保証電力情報、
前記第１端末装置が前記第２ネットワークノードにアップリンク伝送を行う時に採用する波形情報、
前記第１端末装置が前記第２ネットワークノードにアップリンク伝送を行う時に採用する送信ビーム情報、
前記第２ネットワークノードが前記第１端末装置からのアップリンク伝送を受信する時に採用する受信ビーム情報、
前記端末装置が前記端末装置と前記第１ネットワークノード及び／又は前記第２ネットワークノードとの間の伝送について報告するパワーヘッドルーム報告ＰＨＲ、
前記端末装置の能力情報のうちの少なくとも１種を含むことを特徴とする請求項１１に記載のネットワークノード。
【請求項１３】
前記第１端末装置の能力パラメータは、前記第１端末装置がサポートするトランスポート層数を含むことを特徴とする請求項１２に記載のネットワークノード。
【請求項１４】
係る前記伝送関連情報の種類は前記第１ネットワークノードと前記第２ネットワークノードとの間の通信リンクの品質指標に関連付けられていることを特徴とする請求項１１〜１３のいずれか一項に記載のネットワークノード。
【請求項１５】
前記品質指標は容量、遅延及び信頼性のうちの少なくとも１種を含むことを特徴とする請求項１４に記載のネットワークノード。
【請求項１６】
前記第１ネットワークノードと前記第２ネットワークノードは同時に前記第１端末装置に物理ダウンリンク制御チャネルＰＤＣＣＨ又は物理ダウンリンク共有チャネルＰＤＳＣＨを送信することを特徴とする請求項１１〜１５のいずれか一項に記載のネットワークノード。
【請求項１７】
前記第１ネットワークノードと前記第２ネットワークノードは少なくとも周波数領域が部分的に重なるキャリアによって同時に前記第１端末装置にＰＤＣＣＨ又はＰＤＳＣＨを送信することを特徴とする請求項１６に記載のネットワークノード。
【請求項１８】
前記第１ネットワークノードと前記第２ネットワークノードの間は異なる送信ビーム及び／又は異なるアンテナパネルによって前記第１端末装置にダウンリンク伝送を行うことを特徴とする請求項１１〜１７のいずれか一項に記載のネットワークノード。
【請求項１９】
前記第１ネットワークノードと前記第２ネットワークノードは同一セルに属し、又は、
前記第１ネットワークノードと前記第２ネットワークノードは異なるセルに属することを特徴とする請求項１１〜１８のいずれか一項に記載のネットワークノード。
【請求項２０】
前記第１端末装置は１つの端末装置であり、又は
前記第１端末装置は少なくとも１つの端末装置グループ中の端末装置からなり、又は
前記第１端末装置は少なくとも１つのセル中の端末装置からなることを特徴とする請求項１１〜１９のいずれか一項に記載のネットワークノード。
【発明の詳細な説明】
【技術分野】
【０００１】
本願の実施例は通信分野に関し、より具体的には、無線通信方法及びネットワークノードに関する。
【背景技術】
【０００２】
無線通信システムでは、複数のネットワークノードが端末装置にサービスを提供し、例えば、複数の基地局又はより多くの送信ノードが端末装置にサービスを提供する。
【０００３】
将来の無線通信システムでは、通信性能の要件が高く、複数のネットワークノードのシーンに応じて通信性能を如何に向上するかは解決を急ぐ問題となっている。
【発明の概要】
【発明が解決しようとする課題】
【０００４】
本願の実施例は、通信性能を向上させることができる無線通信方法及びネットワークノードを提供する。
【課題を解決するための手段】
【０００５】
第１態様によれば、無線通信方法を提供し、第１ネットワークノードは第１端末装置の伝送関連情報について少なくとも１つの第２ネットワークノードと通信し、前記第１ネットワークノードと前記第２ネットワークノードは前記第１端末装置にサービスを提供するステップと、
前記第１ネットワークノードは前記伝送関連情報に基づき前記第１端末装置をスケジューリングするステップと、を含む。
【０００６】
選択肢として、前記第１ネットワークノードは前記伝送関連情報に基づき前記第１端末装置をアップリンクスケジューリングする。
【０００７】
第１態様において、第１態様の可能な実施形態では、前記伝送関連情報は、
前記第１端末装置が前記第１ネットワークノードにアップリンク伝送を行う時間領域、周波数領域及び／又はコードドメイン利用可能リソース情報、
前記第１端末装置が前記第１ネットワークノードにアップリンク伝送を行う時の電力上限情報、保証電力情報、
前記第１端末装置が前記第１ネットワークノードにアップリンク伝送を行う時に採用する波形情報、
前記第１端末装置のサウンディング参照信号（Ｓｏｕｎｄｉｎｇ  Ｒｅｆｅｒｅｎｃｅ  Ｓｉｇｎａｌ、ＳＲＳ）で伝送される設定情報、
前記第１端末装置が前記第１ネットワークノードにアップリンク伝送を行う時に採用する送信ビーム情報、
前記第１ネットワークノードが前記第１端末装置からのアップリンク伝送を受信する時に採用する受信ビーム情報、
前記第１端末装置が前記第２ネットワークノードにアップリンク伝送を行う時間領域、周波数領域及び／又はコードドメイン利用可能リソース情報、
前記第１端末装置が前記第２ネットワークノードにアップリンク伝送を行う時の電力上限情報、保証電力情報、
前記第１端末装置が前記第２ネットワークノードにアップリンク伝送を行う時に採用する波形情報、
前記第１端末装置が前記第２ネットワークノードにアップリンク伝送を行う時に採用する送信ビーム情報、
前記第２ネットワークノードが前記第１端末装置からのアップリンク伝送を受信する時に採用する受信ビーム情報、
前記端末装置が前記端末装置と前記第１ネットワークノード及び／又は前記第２ネットワークノードとの間の伝送について報告するパワーヘッドルーム報告（Ｐｏｗｅｒ  Ｈｅａｄｒｏｏｍ  Ｒｅｐｏｒｔ、ＰＨＲ）、
前記端末装置の能力情報のうちの少なくとも１種を含む。
【０００８】
第１態様又は上記いずれかの可能な実施形態において、第１態様の別の可能な実施形態では、前記第１端末装置の能力パラメータは、前記第１端末装置がサポートするトランスポート層数を含む。
【０００９】
第１態様又は上記いずれかの可能な実施形態において、第１態様の別の可能な実施形態では、係る前記伝送関連情報の種類は前記第１ネットワークノードと前記第２ネットワークノードとの間の通信リンクの品質指標に関連付けられている。
【００１０】
第１態様又は上記いずれかの可能な実施形態において、第１態様の別の可能な実施形態では、前記品質指標は容量、遅延及び信頼性のうちの少なくとも１種を含む。
【００１１】
第１態様又は上記いずれかの可能な実施形態において、第１態様の別の可能な実施形態では、前記第１ネットワークノードと前記第２ネットワークノードは同時に前記第１端末装置に物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）又は物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を送信する。
【００１２】
第１態様又は上記いずれかの可能な実施形態において、第１態様の別の可能な実施形態では、前記第１ネットワークノードと前記第２ネットワークノードは少なくとも周波数領域が部分的に重なるキャリアによって同時に前記第１端末装置にＰＤＣＣＨ又はＰＤＳＣＨを送信する。
【００１３】
第１態様又は上記いずれかの可能な実施形態において、第１態様の別の可能な実施形態では、前記第１ネットワークノードと前記第２ネットワークノードの間は異なる送信ビーム及び／又は異なるアンテナパネルによって前記第１端末装置にダウンリンク伝送を行う。
【００１４】
第１態様又は上記いずれかの可能な実施形態において、第１態様の別の可能な実施形態では、前記第１ネットワークノードと前記第２ネットワークノードは同一セルに属し、又は、
前記第１ネットワークノードと前記第２ネットワークノードは異なるセルに属する。
【００１５】
第１態様又は上記いずれかの可能な実施形態において、第１態様の別の可能な実施形態では、前記第１端末装置は１つの端末装置であり、又は
前記第１端末装置は少なくとも１つの端末装置グループ中の端末装置からなり、又は
前記第１端末装置は少なくとも１つのセル中の端末装置からなる。
【００１６】
選択肢として、異なる伝送関連情報の場合、対応する端末装置は異なる粒度であってもよい。
【００１７】
第２態様によれば、ネットワークノードを提供し、上記第１態様又は第１態様の可能な実施形態のいずれかに記載の方法を実行する。具体的には、前記ネットワークノードは上記第１態様又は第１態様の可能な実施形態のいずれかに記載の方法を実行するための機能モジュールを備える。
【００１８】
第３態様によれば、ネットワークノードを提供し、プロセッサ、メモリ及び送受信機を備える。前記プロセッサ、前記メモリ及び前記送受信機は内部接続通路を介して相互に通信し、制御及び／又はデータ信号を伝送し、それにより前記ネットワークノードは上記第１態様又は第１態様の可能な実施形態のいずれかに記載の方法を実行する。
【００１９】
第４態様によれば、コンピュータ可読媒体を提供し、上記第１態様又は第１態様の可能な実施形態のいずれかを実行するための命令を含むコンピュータプログラムを記憶する。
【００２０】
第５態様によれば、命令を含むコンピュータプログラム製品を提供し、コンピュータにより実行されると、コンピュータに上記第１態様又は第１態様の実施形態のいずれかに記載の方法を実行させる。
【発明の効果】
【００２１】
従って、本願の実施例では、ネットワークノードは端末装置の伝送関連情報についてほかのネットワークノードと通信でき（例えば、対話し又はほかのネットワークノードから伝送関連情報を取得する）、且つ該伝送関連情報に基づき、端末装置をスケジューリングでき、従って、１つのネットワークノードがほかのノードからの端末装置の伝送関連情報を参照し、又は複数のネットワークノードが対話して端末装置の伝送関連情報を協議することを実現でき、それにより端末装置をよりよくスケジューリングでき、更に通信性能を向上させ、且つ端末装置の実装の複雑度を低減させることができる。
【図面の簡単な説明】
【００２２】
【図１】図１は本願の実施例における通信システム中の装置の概略インタラクション図である。
【図２】図２は本願の実施例における通信システム中の装置の概略インタラクション図である。
【図３】図３は本願の実施例に係る無線通信方法の概略図である。
【図４】図４は本願の実施例に係るネットワークノードの概略ブロック図である。
【図５】図５は本願の実施例に係るシステムチップの概略ブロック図である。
【図６】図６は本願の実施例に係る通信装置の概略ブロック図である。
【発明を実施するための形態】
【００２３】
以下、図面を参照して本願の実施例の技術案を説明する。
【００２４】
本願の実施例に係る技術案は、例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇ（新無線（Ｎｅｗ  Ｒａｄｉｏ、ＮＲ）とも呼ぶ）システム等の各種の通信システムに適用できる。
【００２５】
本願の実施例に係るネットワークノードは端末装置と通信する装置であり得る。ネットワークノードは特定の地理的エリアに通信カバレッジを提供し、且つ該カバレッジエリア内に位置する端末装置（例えば、ＵＥ）と通信可能である。該ネットワークノードはＧＳＭシステム又はＣＤＭＡシステム中の基地局（Ｂａｓｅ  Ｔｒａｎｓｃｅｉｖｅｒ  Ｓｔａｔｉｏｎ、ＢＴＳ）であってもよく、ＷＣＤＭＡシステム中の基地局（ＮｏｄｅＢ、ＮＢ）であってもよく、ＬＴＥシステム中の発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）中の無線コントローラであってもよく、又は該ネットワーク装置は中継局、アクセスポイント、同一基地局の異なるアンテナパネル（Ａｎｔｅｎｎａ  ｐａｎｅｌ）、送受信ポイント（Ｔｒａｎｓｍｉｔｔｉｎｇ−Ｒｅｃｅｉｖｉｎｇ  ｐｏｉｎｔ、ＴＲＰ）、車載装置、ウェアラブル装置、将来の５Ｇネットワーク中のネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）中のネットワーク装置等であってもよい。
【００２６】
本願の実施例に係る端末装置は移動型又は固定型であり得る。端末装置はアクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続されるほかの処理装置、車載装置、ウェアラブル装置、将来の５Ｇネットワーク中の端末装置又は将来の発展型ＰＬＭＮ中の端末装置等であってもよい。
【００２７】
選択肢として、本願の実施例では、複数のネットワークノードは協働して端末装置にサービスを提供できる。
【００２８】
選択肢として、複数のネットワークノードは異なるビームによって端末装置にダウンリンク伝送を行うことができる。例えば、ネットワークノード１とネットワークノード２は異なるビームによって端末装置にダウンリンク伝送を行うことができる。
【００２９】
選択肢として、本願の実施例では、図１に示すように、複数のネットワークノード同士は情報交換が可能である。
【００３０】
選択肢として、本願の実施例では、異なるネットワークノードは、例えば、図１に示すように、異なるセルに位置し、又は、異なるネットワークノードは、例えば、図２に示すように、同一基地局（ｇＮＢ）中の伝送ノードである。
【００３１】
選択肢として、本願の実施例では、複数のネットワークノードはそれぞれ端末装置に複数のＰＤＣＣＨを送信できる。
【００３２】
この場合、端末装置は１つの制御チャネルのみを受信でき、該１つの制御チャネルは複数のネットワークノードのスケジューリング情報を指示する（この時、各ネットワークノードによって送信される制御チャネルは複数のネットワークノードが端末装置をスケジューリングするスケジューリング情報を運ぶことができる）。
【００３３】
又は、端末装置はそれぞれ各ネットワークノードから送信された制御チャネルを受信し、各制御チャネルはそれぞれの送信者が端末装置をスケジューリングするスケジューリング情報のみを運ぶことができる。
【００３４】
選択肢として、本願の実施例では、端末装置は複数のネットワークノードにそれぞれアップリンク伝送を行うことができる。
【００３５】
以下、端末装置がそれぞれ複数のネットワークノードにアップリンク伝送を行う必要がある場合、ネットワークノードが如何に端末装置をスケジューリングするかを説明する。
【００３６】
理解すべきなのは、以下では度々ネットワーク装置が端末装置にアップリンクスケジューリングを行うことを例に説明するが、本願の実施例の技術案はネットワーク装置が端末装置にダウンリンク伝送を行うシーンにも適用できる。
【００３７】
図３は本願の実施例に係る無線通信方法１００の概略フローチャートである。該方法１００は以下の内容の少なくとも一部を含む。
【００３８】
１１０では、第１ネットワークノードは第１端末装置の伝送関連情報について少なくとも１つの第２ネットワークノードと通信し、該第１ネットワークノードと該第２ネットワークノードは該第１端末装置にサービスを提供する。
【００３９】
１２０では、該第１ネットワークノードは該伝送関連情報に基づき該第１端末装置をスケジューリングする。
【００４０】
選択肢として、該第１ネットワークノードは該伝送関連情報に基づき該第１端末装置をアップリンクスケジューリングする。
【００４１】
従って、本願の実施例では、ネットワークノードは端末装置の伝送関連情報についてほかのネットワークノードと通信でき（例えば、対話し又はほかのネットワークノードから伝送関連情報を取得する）、且つ該伝送関連情報に基づき、端末装置をスケジューリングでき、従って、１つのネットワークノードがほかのノードからの端末装置の伝送関連情報を参照し、又は複数のネットワークノードが対話して端末装置の伝送関連情報を協議することを実現でき、それにより端末装置をよりよくスケジューリングでき、更にシステム効率を向上させ、通信性能を向上させ、端末装置の実装の複雑度を低減させることができる。
【００４２】
選択肢として、本願の実施例では、端末装置の伝送関連情報とは、端末装置がアップリンク／ダウンリンク伝送を行う時に必要な情報である。例えば、端末装置は１つのネットワークノードと通信する時、端末装置とほかのネットワークノードとの通信に影響を及ぼす可能性があり、この場合、伝送関連情報は端末装置と該ネットワークノードが通信する関連情報であってもよい。
【００４３】
選択肢として、本願の実施例では、該伝送関連情報は、
該第１端末装置が該第１ネットワークノードにアップリンク伝送を行う時間領域、周波数領域及び／又はコードドメイン利用可能リソース情報、例えば、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、
該第１端末装置が該第１ネットワークノードにアップリンク伝送を行う時の電力上限情報、保証電力情報、
該第１端末装置が該第１ネットワークノードにアップリンク伝送を行う時に採用する波形情報、
該第１端末装置のサウンディング参照信号ＳＲＳで伝送される設定情報、
該第１端末装置が該第１ネットワークノードにアップリンク伝送を行う時に採用する送信ビーム情報、
該第１ネットワークノードが該第１端末装置からのアップリンク伝送を受信する時に採用する受信ビーム情報、
該第１端末装置が該第２ネットワークノードにアップリンク伝送を行う時間領域、周波数領域及び／又はコードドメイン利用可能リソース情報、
該第１端末装置が該第２ネットワークノードにアップリンク伝送を行う時の電力上限情報、保証電力情報、
該第１端末装置が該第２ネットワークノードにアップリンク伝送を行う時に採用する波形情報、
該第１端末装置が該第２ネットワークノードにアップリンク伝送を行う時に採用する送信ビーム情報、
該第２ネットワークノードが該第１端末装置からのアップリンク伝送を受信する時に採用する受信ビーム情報、
該端末装置が該端末装置と該第１ネットワークノード及び／又は該第２ネットワークノードとの間の伝送について報告するパワーヘッドルーム報告（Ｐｏｗｅｒ  Ｈｅａｄｒｏｏｍ  Ｒｅｐｏｒｔ、ＰＨＲ）、
該端末装置の能力情報、例えば、該第１端末装置によってサポートされるトランスポート層数のうちの少なくとも１種を含む。
【００４４】
選択肢として、本願の実施例に係る波形は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）波形、又は離散フーリエ変換（Ｄｉｓｃｒｅｔｅ  Ｆｏｕｒｉｅｒ  Ｔｒａｎｓｆｏｒｍ、ＤＦＴ）拡張ＯＦＤＭ（ＤＦＴ−Ｓ−ＯＦＤＭ）波形である。
【００４５】
選択肢として、該端末装置が該端末装置と該第１ネットワークノードとの間の伝送について報告するパワーヘッドルーム報告は、端末装置が第２ネットワークノードとの通信を考慮に入れずに第１ネットワークノードとの通信を参照してＰＨＲを計算する。
【００４６】
選択肢として、該端末装置が該端末装置と該第２ネットワークノードとの間の伝送について報告するパワーヘッドルーム報告は、端末装置が第１ネットワークノードとの通信を考慮に入れずに第２ネットワークノードとの通信を参照してＰＨＲを計算する。
【００４７】
選択肢として、該端末装置が該端末装置と該第１ネットワークノード及び第２ネットワークノードとの間の伝送について報告するパワーヘッドルーム報告は、端末装置が第１ネットワークノード及び第２ネットワークノードとの通信を参照してＰＨＲを計算する。
【００４８】
選択肢として、係る該伝送関連情報の種類は該第１ネットワークノードと該第２ネットワークノードとの間の通信リンクの品質指標に関連付けられている。
【００４９】
具体的には、本願の実施例は以下の４種のシーンに適用できる。
【００５０】
シーン１．  複数のネットワークノードが同一セルに属し、ネットワークノード間のバックホール（ｂａｃｋｈａｕｌ）が理想的であり、すなわち迅速に情報交換、動的情報交換を行うことができる。
【００５１】
シーン２．  複数のネットワークノードが同一セルに属し、ネットワークノード間のバックホール（ｂａｃｋｈａｕｌ）が非理想的であり、すなわちネットワークノード同士が迅速に情報交換を行うことができず、比較的遅いデータ交換しかできない。
【００５２】
シーン３．  複数のネットワークノードが異なるセルに属し、ネットワークノード間のバックホール（ｂａｃｋｈａｕｌ）が理想的である。
【００５３】
シーン４．  複数のネットワークノードが異なるセルに属し、ネットワークノード間のバックホール（ｂａｃｋｈａｕｌ）が非理想的である。
【００５４】
以上の４種のシーンにおいて、交換（又は一方的に通知）可能な情報は異なってもよい。
【００５５】
例えば、ネットワークノード間のバックホールの品質が低いシーンにおいて、変化の遅い情報を交換（又は一方的に通知）できるが、変化の速い情報を交換（又は一方的に通知）しない。
【００５６】
例えば、ネットワークノード間のバックホールの品質が高いシーンにおいて、変化の遅い情報を交換（又は一方的に通知）できるだけでなく、変化の速い情報を交換（又は一方的に通知）できる。
【００５７】
選択肢として、本願の実施例では、該第１ネットワークノードと該第２ネットワークノードの間の通信リンクの品質指標は容量、遅延及び信頼性のうちの少なくとも１種を含む。
【００５８】
選択肢として、本願の実施例では、該第１ネットワークノードと該第２ネットワークノードは同時に該第１端末装置にＰＤＣＣＨ又はＰＤＳＣＨを送信する。
【００５９】
選択肢として、本願の実施例では、該第１ネットワークノードと該第２ネットワークノードは少なくとも周波数領域が部分的に重なるキャリアによって同時に該第１端末装置にＰＤＣＣＨ又はＰＤＳＣＨを送信する。
【００６０】
選択肢として、本願の実施例では、端末装置は、第１ネットワークノードと第２ネットワークノードから送信されたＰＤＣＣＨとＰＤＳＣＨを該少なくとも周波数領域が部分的に重なるキャリアで同時に受信する。
【００６１】
選択肢として、本願の実施例におけるキャリアとは、ネットワークによって端末装置に割り当てられる端末装置に利用可能な最大伝送帯域幅である。
【００６２】
複数のアップリンクに対応するキャリア（ｃｏｍｐｏｎｅｎｔ  ｃａｒｒｉｅｒ）は少なくとも周波数領域が部分的に重なる。
【００６３】
選択肢として、本願の実施例では、該第１ネットワークノードと該第２ネットワークノードの間は異なる送信ビーム及び／又は異なるアンテナパネルによって該第１端末装置にダウンリンク伝送を行う。
【００６４】
選択肢として、該第１ネットワークノードと該第２ネットワークノードは同一セルに属し、又は、該第１ネットワークノードと該第２ネットワークノードは異なるセルに属する。
【００６５】
選択肢として、該第１端末装置は１つの端末装置であり、又は該第１端末装置は少なくとも１つの端末装置グループ中の端末装置からなり、又は該第１端末装置は少なくとも１つのセル中の端末装置からなる。
【００６６】
具体的には、第１ネットワークノードと第２ネットワークノードは伝送関連情報について通信を行う時、伝送関連情報を適用できる対象は以下の方式を有してもよい。
【００６７】
方式１、通信する伝送関連情報はすべてのＵＥに適用できる（ｃｅｌｌ−ｓｐｅｃｉｆｉｃと類似するが、ここで複数のセルに関する可能性があり、すなわち、複数のセル下の端末装置はすべてこの情報を適用できる）。
【００６８】
方式２、通信する伝送関連情報はＵＥグループに適用できる（すなわちｇｒｏｕｐ−ｓｐｅｃｉｆｉｃ、  又はＵＥ  ｇｒｏｕｐ  ｃｏｍｍｏｎ）。
【００６９】
方式３、通信する伝送関連情報は単一ＵＥに適用できる（すなわちＵＥ−ｓｐｅｃｉｆｉｃ）。
【００７０】
理解すべきなのは、異なる伝送関連情報の場合、対応する端末装置は異なる粒度であってもよい。
【００７１】
例えば、交換するアップリンクフィードバック用の利用可能時間領域、周波数領域又はコードドメイン利用可能リソース情報はすべての端末装置に適用できる。
【００７２】
例えば、交換する端末装置の能力情報は、特定の端末装置に適用できる。
【００７３】
本願をより明瞭に理解するために、以下、いくつかの実施例を参照して本願を説明し、理解すべきなのは、以下の実施例は各実施例を別々説明するが、矛盾しない限り、組み合わせて使用することができる。
【００７４】
実施例１
ネットワーク側は２つのノードからＵＥに異なるＮＲ−ＰＤＣＣＨ又はＮＲ−ＰＤＳＣＨを送信する可能性がある。この伝送スキームをサポートするために、ＵＥは各ダウンリンク伝送に対応する肯定応答（Ａｃｋｎｏｗｌｅｄｇｅ、ＡＣＫ）／非肯定応答（Ｎｏｎ−Ａｃｋｎｏｗｌｅｄｇｅ、ＮＡＣＫ）、及び対応するチャネル状態情報（Ｃｈａｎｎｅｌ  Ｓｔａｔｅ  Ｉｎｆｏｒｍａｔｉｏｎ、ＣＳＩ）等の情報をフィードバックする必要がある。
【００７５】
ＵＥから２つのノードへのアップリンクフィードバックは独立したチャネルによって伝送する場合、２種の方式がある。
【００７６】
方式１：２つのアップリンクフィードバックチャネルは同一時間に送信できる。
【００７７】
方式２：２つのアップリンクフィードバックチャネルは時分割多重化（Ｔｉｍｅ−Ｄｉｖｉｓｉｏｎ  Ｍｕｌｔｉｐｌｅｘｉｎｇ、ＴＤＭ）された時分割多重化の方式を同一時間に送信するが、同一時点に送信しない。
【００７８】
この場合、異なるノード同士はアップリンクフィードバック利用可能時間領域及び／又は周波数領域リソースの情報を交換し、例えば、ノード同士はＰＵＣＣＨの周波数リソースを交換し、ノード同士はＰＵＣＣＨの時間領域リソースを交換する。
【００７９】
例えば、時間領域リソースの周期が１０個のリソース（スロット（ｓｌｏｔ）又はミニスロット（ｍｉｎｉ−ｓｌｏｔ））である場合、ノード１に対応するアップリンクフィードバックに使用可能な時間領域リソースは１、３、５、７、９であり、ノード２に対応するアップリンクフィードバックに使用可能な時間領域リソースは０、２、４、６、８である。
【００８０】
ノード同士は情報を一方向に通知でき、例えば、すなわち、ノード１はそれに対応するアップリンクフィードバックに使用可能な時間領域リソース１、３、５、７、９をノード２に通知する場合、ノード２はこれらのリソースをスケジューリングしないことをわかる。
【００８１】
実施例２
ネットワーク側は２つのノードからＵＥに異なるＮＲ−ＰＤＣＣＨ又はＮＲ−ＰＤＳＣＨを送信する可能性がある。この伝送スキームをサポートするために、ＵＥは各ダウンリンク伝送に対応するＡＣＫ／ＮＡＣＫ、及び対応するＣＳＩ等の情報をフィードバックする必要がある。
【００８２】
また、ＵＥはアップリンクデータ伝送を行う可能性があり、１つのノードに伝送してもよく、２つのノードに伝送してもよい。２つのノードへのアップリンク伝送（フィードバック又はデータ伝送）は独立したチャネルによって伝送する場合、２種の方式がある。
【００８３】
方式１：２つのアップリンクチャネルは同一時間に送信できる。
【００８４】
方式２：２つのチャネルは時分割多重化されたＴＤＭの方式を同一時間に送信するが、同一時点に送信しない。
【００８５】
方式１の場合、２つのアップリンクチャネルが同時に送信する時、総送信電力が不十分であると、２つのチャネル間で電力制御を行う必要があり、その方法の１種はセミスタティック電力分配方式であり、すなわち、ダウンリンクリンク１（ＵＥとノード１との間のリンク）に対応するアップリンクチャネルの送信電力がＰ１以下であり、ダウンリンクリンク２（ＵＥとノード２の間のリンク）に対応するアップリンクチャネルの送信電力がＰ２以下である。従って、ノード同士はセミスタティック電力分配情報を交換し又は一方的に通知し、例えば、ノード１はそれに対応するアップリンク電力Ｐ１をノード２に通知し、又はノード１とノード２の間は［Ｐ１，Ｐ２］を交換する。
【００８６】
実施例３
ネットワーク側は２つのノードからＵＥに異なるＮＲ−ＰＤＣＣＨ又はＮＲ−ＰＤＳＣＨを送信する可能性がある。２つのノードがＵＥに送信した、データストリームを伝送するレイヤ（ｌａｙｅｒｓ）はＵＥの能力を超える。
【００８７】
例えば、１つのＵＥの能力は多くとも４つのｌａｙｅｒｓの復調をサポートするため、２つのノードがそれぞれ２つ及び４つのｌａｙｅｒを送信する場合、ＵＥの能力を超え、ＵＥが復調できなくなり、又はデータの一部を破棄し、システムリソースの浪費をもたらす。
【００８８】
従って、ノード同士はＵＥに関連する能力を交換し又は一方的に通知し、例えば、セル１はＵＥに関連する能力をセル２に通知する。
【００８９】
実施例４
ネットワーク側は２つのノードからＵＥに異なるＮＲ−ＰＤＣＣＨ又はＮＲ−ＰＤＳＣＨを送信する可能性がある。この伝送スキームをサポートするために、ＵＥが各ダウンリンク伝送に対応するＡＣＫ／ＮＡＣＫ、及び対応するＣＳＩ等の情報をフィードバックする必要がある。
【００９０】
また、ＵＥはアップリンクデータ伝送を行う可能性があり、１つのノードに伝送してもよく、２つのノードに伝送してもよい。２つのノードへのアップリンク伝送（フィードバック又はデータ伝送）は独立したチャネルによって伝送する場合、２種の方式がある。
【００９１】
方式１：２つのアップリンクチャネルは同一時間に送信できる。
【００９２】
方式２：２つのチャネルは時分割多重化されたＴＤＭの方式を同一時間に送信するが、同一時点に送信しない。
【００９３】
方式１の場合、ノード同士は２つのアップリンクチャネルの伝送波形、例えば、ＤＦＴ−ｓ−ＯＦＤＭ又はＯＦＤＭ波形をマッチできる。
【００９４】
例えば、１つのダウンリンクリンクに対応するアップリンクチャネルはＤＦＴ−ｓ−ＯＦＤＭを使用すると、もう１つのダウンリンクリンクに対応するアップリンクチャネルもＤＦＴ−ｓ−ＯＦＤＭを使用する場合、効果が優れ、そうでない場合、電力制限によって、ＯＦＤＭを使用しても伝送特性が劣る。
【００９５】
実施例５
ネットワーク側は２つのノードからＵＥに異なるＮＲ−ＰＤＣＣＨ又はＮＲ−ＰＤＳＣＨを送信できる。この伝送スキームをサポートするために、ＵＥはＳＲＳ信号をアップリンクで送信する必要があり、以下の２つの用途がある。
【００９６】
Ａ）  ダウンリンク多入力多出力（Ｍｕｌｔｉｐｌｅ−Ｉｎｐｕｔ  Ｍｕｌｔｉｐｌｅ−Ｏｕｔｐｕｔ、ＭＩＭＯ）伝送（チャネル相反性がある場合）
Ｂ）  アップリンク伝送のスケジューリング
【００９７】
２つのノードのダウンリンクリンクに対して、それぞれ独立してＳＲＳ設定を行い、又は１つのＳＲＳ設定を共用できる。
【００９８】
それぞれ独立してＳＲＳ設定を行う場合、ノード同士はＳＲＳの時間領域、周波数領域及び／又はコードドメインリソースをマッチできる。
【００９９】
１つのＳＲＳ設定を共用する場合、ノード同士は該１つの具体的なＳＲＳ設定を協議できる。
【０１００】
該実施例では、ノード同士はＳＲＳ設定情報を交換することで、異なるアップリンクでＳＲＳ信号を伝送することによる衝突（すなわち同一時間周波数リソース上で同時送信する）を回避できる。
【０１０１】
実施例６
ネットワーク側は２つのノードからＵＥに異なるＮＲ−ＰＤＣＣＨとＮＲ−ＰＤＳＣＨを送信できる。アップリンクの特性又はダウンリンクリンクの特性を向上させるために、２つのノードはＵＥの送信ビーム及び／又はノードの受信ビームに関連する情報を交換し、それによりＵＥの複数の送信ビーム間の相互干渉を低減させ、又はノードの受信ビームが複数のＵＥの送信ビームを共同に受信することに有利であり、又はノードの受信ビームが非対応リンクの信号を抑制することに有利である。
【０１０２】
従って、本願の実施例では、ネットワークノードは端末装置の伝送関連情報についてほかのネットワークノードと通信でき（例えば、対話し又はほかのネットワークノードから伝送関連情報を取得する）、且つ該伝送関連情報に基づき、端末装置をスケジューリングでき、従って、１つのネットワークノードがほかのノードからの端末装置の伝送関連情報を参照し、又は複数のネットワークノードが対話して端末装置の伝送関連情報を協議することを実現でき、それにより端末装置をよりよくスケジューリングでき、更にシステム効率を向上させ、通信性能を向上させ、端末装置の実装の複雑度を低減させることができる。
【０１０３】
図４は本願の実施例に係るネットワークノード２００の概略ブロック図である。図４に示すように、該ネットワークノード２００は通信ユニット２１０及びスケジューリングユニット２２０を備える。
【０１０４】
通信ユニット２１０は、第１端末装置の伝送関連情報について少なくとも１つの第２ネットワークノードと通信し、該第１ネットワークノードと該第２ネットワークノードは該第１端末装置にサービスを提供し、スケジューリングユニット２２０は、該伝送関連情報に基づき該第１端末装置をスケジューリングする。
【０１０５】
選択肢として、該伝送関連情報は、
該第１端末装置が該第１ネットワークノードにアップリンク伝送を行う時間領域、周波数領域及び／又はコードドメイン利用可能リソース情報、
該第１端末装置が該第１ネットワークノードにアップリンク伝送を行う時の電力上限情報、保証電力情報、
該第１端末装置が該第１ネットワークノードにアップリンク伝送を行う時に採用する波形情報、
該第１端末装置のＳＲＳが伝送する設定情報、
該第１端末装置が該第１ネットワークノードにアップリンク伝送を行う時に採用する送信ビーム情報、
該第１ネットワークノードが該第１端末装置からのアップリンク伝送を受信する時に採用する受信ビーム情報、
該第１端末装置が該第２ネットワークノードにアップリンク伝送を行う時間領域、周波数領域及び／又はコードドメイン利用可能リソース情報、
該第１端末装置が該第２ネットワークノードにアップリンク伝送を行う時の電力上限情報、保証電力情報、
該第１端末装置が該第２ネットワークノードにアップリンク伝送を行う時に採用する波形情報、
該第１端末装置が該第２ネットワークノードにアップリンク伝送を行う時に採用する送信ビーム情報、
該第２ネットワークノードが該第１端末装置からのアップリンク伝送を受信する時に採用する受信ビーム情報、
該端末装置が該端末装置と該第１ネットワークノード及び／又は該第２ネットワークノードとの間の伝送に対して報告するＰＨＲ、
該端末装置の能力情報のうちの少なくとも１種を含む。
【０１０６】
選択肢として、該第１端末装置の能力パラメータは、該第１端末装置がサポートするトランスポート層数を含む。
【０１０７】
選択肢として、係る該伝送関連情報の種類は該第１ネットワークノードと該第２ネットワークノードとの間の通信リンクの品質指標に関連付けられている。
【０１０８】
選択肢として、該品質指標は容量、遅延及び信頼性のうちの少なくとも１種を含む。
【０１０９】
選択肢として、該第１ネットワークノードと該第２ネットワークノードは同時に該第１端末装置に物理ダウンリンク制御チャネルＰＤＣＣＨ又は物理ダウンリンク共有チャネルＰＤＳＣＨを送信する。
【０１１０】
選択肢として、該第１ネットワークノードと該第２ネットワークノードは少なくとも周波数領域が部分的に重なるキャリアによって同時に該第１端末装置にＰＤＣＣＨ又はＰＤＳＣＨを送信する。
【０１１１】
選択肢として、該第１ネットワークノードと該第２ネットワークノードの間は異なる送信ビーム及び／又は異なるアンテナパネルによって該第１端末装置にダウンリンク伝送を行う。
【０１１２】
選択肢として、該第１ネットワークノードと該第２ネットワークノードは同一セルに属し、又は、
該第１ネットワークノードと該第２ネットワークノードは異なるセルに属する。
【０１１３】
選択肢として、該第１端末装置は１つの端末装置であり、又は
該第１端末装置は少なくとも１つの端末装置グループ中の端末装置からなり、又は
該第１端末装置は少なくとも１つのセル中の端末装置からなる。
【０１１４】
理解すべきなのは、該ネットワークノード２００は方法の実施例中のネットワークノードに対応でき、該方法の実施例中のネットワークノードによって実現される対応する操作を実現でき、簡潔にするために、ここで詳細説明を省略する。
【０１１５】
図５は本願の実施例におけるシステムチップ３００の概略構造図である。図５のシステムチップ３００は内部通信接続通路を介して接続される入力インタフェース３０１、出力インタフェース３０２、前記プロセッサ３０３及びメモリ３０４を備え、前記プロセッサ３０３は前記メモリ３０４中のコードを実行する。
【０１１６】
選択肢として、前記コードが実行される時、前記プロセッサ３０３は方法の実施例中のネットワークノードによって実行される方法を実現する。簡潔にするために、ここで詳細説明を省略する。
【０１１７】
図６は本願の実施例に係る通信装置４００の概略ブロック図である。図６に示すように、該通信装置４００はプロセッサ４１０及びメモリ４２０を備える。該メモリ４２０はプログラムコードが記憶され、該プロセッサ４１０は該メモリ４２０に記憶されたプログラムコードを実行する。
【０１１８】
選択肢として、図６に示すように、該通信装置４００は送受信機４３０を備え、プロセッサ４１０は送受信機４３０による外部通信を制御する。
【０１１９】
選択肢として、該プロセッサ４１０はメモリ４２０に記憶されたプログラムコードを呼び出し、方法の実施例中のネットワークノードに対応する操作を実行し、簡潔にするために、ここで詳細説明を省略する。
【０１２０】
本願の実施例における方法の実施例はプロセッサに適用され、又はプロセッサによって実現される。プロセッサは信号処理能力を有する集積回路チップでありうる。実現中、上記方法の実施例の各ステップはプロセッサのハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、トランジスタロジックデバイス、ディスクリートハードウェアユニットであってもよい。本願の実施例に開示されている各方法、ステップ及び論理ブロック図を実現又は実行できる。汎用プロセッサはマイクロプロセッサであってもよく、該プロセッサは任意の通常のプロセッサ等であってもよい。本願の実施例に開示されている方法のステップは直接ハードウェアデコードプロセッサによって実行され、又はデコードプロセッサのハードウェア及びソフトウェアモジュール組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体はメモリに位置し、プロセッサはメモリにおける情報を読み取り、そのハードウェアと組み合わせて上記方法のステップを行う。
【０１２１】
理解できるように、本願の実施例では、メモリは揮発性メモリ又は不揮発性メモリであり、又は揮発性メモリと不揮発性メモリの組合せを含む。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭは使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）が挙げられる。理解すべきなのは、本明細書に記載のシステム及び方法のメモリはこれら及び任意の適切なタイプのメモリを含むが、それらに限定されない。
【０１２２】
最後、理解すべきなのは、本願の実施例及び添付特許請求の範囲に使用される用語は単に特定の実施例を説明するためのものであり、本願の実施例を限定しない。
【０１２３】
例えば、本願の実施例及び添付特許請求の範囲に使用される単数形の「１種」、「前記」及び「該」は、コンテキストにおいてその意味を明記しない限り、複数形をも含む。
【０１２４】
また、例えば、本願の実施例では、用語の第１タイプセルグループ及び第２タイプセルグループを使用する可能性があるが、これらのタイプセルグループはこれらの用語に限定されない。これらの用語はタイプセルグループ同士を区別するためのものに過ぎない。
【０１２５】
また、例えば、コンテキスト次第であり、例えば、ここで使用される用語「…場合」は「…ば」又は「…と」又は「…時」又は「決定に応答し」又は「検出に応答し」を意味できる。同様に、にコンテキスト次第であり、フレーズ「決定すれば」又は「（陳述する条件又はイベント）を検出すれば」は「決定する時」又は「決定に応答し」又は「（陳述する条件又はイベント）を検出する時」又は「（陳述する条件又はイベント）を検出することに応答」を意味できる。
【０１２６】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の実施例の範囲を逸脱せずに、説明された機能を各特定の応用に応じて異なる方法で実現できる。
【０１２７】
当業者であれば、説明の便宜及び簡潔上、上記説明したシステム、装置及びユニットの具体的な動作プロセスは、上記方法の実施例の対応するプロセスを参照すればよいと理解できるため、ここで詳細説明を省略する。
【０１２８】
本願により提供されるいくつかの実施例では、開示されているシステム、装置及び方法をほかの形態で実現できると理解すべきである。例えば、以上説明された装置の実施例は単に例示的なものであり、例えば、前記ユニットの分割は、単に１種のロジック機能分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１２９】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本願の実施例の目的を実現することができる。
【０１３０】
また、本願の実施例における各機能ユニットは１つの処理ユニットに集積されてもよく、別々に物理的に存在してもよく、２つ又は２つ以上のユニットは１つのユニットに集積されてもよい。
【０１３１】
ソフトウェア機能ユニットの形態で実現され独立した製品として販売又は使用される場合、コンピュータ可読記憶媒体に記憶されうる。このような理解に基づき、本願の実施例の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本願の実施例に係る方法の全て又は一部のステップを実行させるための複数の命令を含む。上記記憶媒体は、Ｕディスク、モバイルディスク、読み出し専用メモリ、ランダムアクセスメモリ、磁気ディスク又は光ディスクなどプロクラムコードを記憶可能な種々の媒体を含む。
【０１３２】
以上は、本願の実施例の具体的な実施形態に過ぎず、本願の実施例の保護範囲はそれに限定されるものではなく、当業者が本願の実施例に開示されている技術範囲を逸脱せずに容易に想到し得る変更や置換はすべて本願の実施例の保護範囲に属する。従って、本願の実施例の保護範囲は特許請求の範囲の保護範囲に準じるべきである。
【図１】
2020535669.tif 000003
【図２】
2020535669.tif 000004
【図３】
2020535669.tif 000005
【図４】
2020535669.tif 000006
【図５】
2020535669.tif 000007
【図６】
2020535669.tif 000008
【手続補正書】
【提出日】令和2年7月30日(2020.7.30)
【手続補正１】
【補正対象書類名】明細書
【補正対象項目名】０００７
【補正方法】変更
【補正の内容】
【０００７】
第１態様において、第１態様の可能な実施形態では、前記伝送関連情報は、
前記第１端末装置が前記第１ネットワークノードにアップリンク伝送を行う時間領域、周波数領域及び／又はコードドメイン利用可能リソース情報、
前記第１端末装置が前記第１ネットワークノードにアップリンク伝送を行う時の電力上限情報、保証電力情報、
前記第１端末装置が前記第１ネットワークノードにアップリンク伝送を行う時に採用する波形情報、
前記第１端末装置のサウンディング参照信号（Ｓｏｕｎｄｉｎｇ  Ｒｅｆｅｒｅｎｃｅ  Ｓｉｇｎａｌ、ＳＲＳ）で伝送される設定情報、
前記第１端末装置が前記第１ネットワークノードにアップリンク伝送を行う時に採用する送信ビーム情報、
前記第１ネットワークノードが前記第１端末装置からのアップリンク伝送を受信する時に採用する受信ビーム情報、
前記第１端末装置が前記第２ネットワークノードにアップリンク伝送を行う時間領域、周波数領域及び／又はコードドメイン利用可能リソース情報、
前記第１端末装置が前記第２ネットワークノードにアップリンク伝送を行う時の電力上限情報、保証電力情報、
前記第１端末装置が前記第２ネットワークノードにアップリンク伝送を行う時に採用する波形情報、
前記第１端末装置が前記第２ネットワークノードにアップリンク伝送を行う時に採用する送信ビーム情報、
前記第２ネットワークノードが前記第１端末装置からのアップリンク伝送を受信する時に採用する受信ビーム情報、
前記第１端末装置が前記第１端末装置と前記第１ネットワークノード及び／又は前記第２ネットワークノードとの間の伝送について報告するパワーヘッドルーム報告（Ｐｏｗｅｒ  Ｈｅａｄｒｏｏｍ  Ｒｅｐｏｒｔ、ＰＨＲ）、
前記第１端末装置の能力情報のうちの少なくとも１種を含む。
【手続補正２】
【補正対象書類名】明細書
【補正対象項目名】００４３
【補正方法】変更
【補正の内容】
【００４３】
選択肢として、本願の実施例では、該伝送関連情報は、
該第１端末装置が該第１ネットワークノードにアップリンク伝送を行う時間領域、周波数領域及び／又はコードドメイン利用可能リソース情報、例えば、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、
該第１端末装置が該第１ネットワークノードにアップリンク伝送を行う時の電力上限情報、保証電力情報、
該第１端末装置が該第１ネットワークノードにアップリンク伝送を行う時に採用する波形情報、
該第１端末装置のサウンディング参照信号ＳＲＳで伝送される設定情報、
該第１端末装置が該第１ネットワークノードにアップリンク伝送を行う時に採用する送信ビーム情報、
該第１ネットワークノードが該第１端末装置からのアップリンク伝送を受信する時に採用する受信ビーム情報、
該第１端末装置が該第２ネットワークノードにアップリンク伝送を行う時間領域、周波数領域及び／又はコードドメイン利用可能リソース情報、
該第１端末装置が該第２ネットワークノードにアップリンク伝送を行う時の電力上限情報、保証電力情報、
該第１端末装置が該第２ネットワークノードにアップリンク伝送を行う時に採用する波形情報、
該第１端末装置が該第２ネットワークノードにアップリンク伝送を行う時に採用する送信ビーム情報、
該第２ネットワークノードが該第１端末装置からのアップリンク伝送を受信する時に採用する受信ビーム情報、
該第１端末装置が該第１端末装置と該第１ネットワークノード及び／又は該第２ネットワークノードとの間の伝送について報告するパワーヘッドルーム報告（Ｐｏｗｅｒ  Ｈｅａｄｒｏｏｍ  Ｒｅｐｏｒｔ、ＰＨＲ）、
該第１端末装置の能力情報、例えば、該第１端末装置によってサポートされるトランスポート層数のうちの少なくとも１種を含む。
【手続補正３】
【補正対象書類名】明細書
【補正対象項目名】００７７
【補正方法】変更
【補正の内容】
【００７７】
方式２：２つのアップリンクフィードバックチャネルは時分割多重化（Ｔｉｍｅ−Ｄｉｖｉｓｉｏｎ  Ｍｕｌｔｉｐｌｅｘｉｎｇ、ＴＤＭ）の方式で、同一時点で送信しないようにすることができる。
【手続補正４】
【補正対象書類名】明細書
【補正対象項目名】００８４
【補正方法】変更
【補正の内容】
【００８４】
方式２：２つのチャネルは時分割多重化ＴＤＭの方式で、同一時点で送信しないようにすることができる。
【手続補正５】
【補正対象書類名】明細書
【補正対象項目名】００９２
【補正方法】変更
【補正の内容】
【００９２】
方式２：２つのチャネルは時分割多重化ＴＤＭの方式で、同一時点で送信しないようにすることができる。
【手続補正６】
【補正対象書類名】明細書
【補正対象項目名】０１０５
【補正方法】変更
【補正の内容】
【０１０５】
選択肢として、該伝送関連情報は、
該第１端末装置が該第１ネットワークノードにアップリンク伝送を行う時間領域、周波数領域及び／又はコードドメイン利用可能リソース情報、
該第１端末装置が該第１ネットワークノードにアップリンク伝送を行う時の電力上限情報、保証電力情報、
該第１端末装置が該第１ネットワークノードにアップリンク伝送を行う時に採用する波形情報、
該第１端末装置のＳＲＳが伝送する設定情報、
該第１端末装置が該第１ネットワークノードにアップリンク伝送を行う時に採用する送信ビーム情報、
該第１ネットワークノードが該第１端末装置からのアップリンク伝送を受信する時に採用する受信ビーム情報、
該第１端末装置が該第２ネットワークノードにアップリンク伝送を行う時間領域、周波数領域及び／又はコードドメイン利用可能リソース情報、
該第１端末装置が該第２ネットワークノードにアップリンク伝送を行う時の電力上限情報、保証電力情報、
該第１端末装置が該第２ネットワークノードにアップリンク伝送を行う時に採用する波形情報、
該第１端末装置が該第２ネットワークノードにアップリンク伝送を行う時に採用する送信ビーム情報、
該第２ネットワークノードが該第１端末装置からのアップリンク伝送を受信する時に採用する受信ビーム情報、
該第１端末装置が該第１端末装置と該第１ネットワークノード及び／又は該第２ネットワークノードとの間の伝送に対して報告するＰＨＲ、
該第１端末装置の能力情報のうちの少なくとも１種を含む。
【手続補正７】
【補正対象書類名】特許請求の範囲
【補正対象項目名】全文
【補正方法】変更
【補正の内容】
【特許請求の範囲】
【請求項１】
無線通信方法であって、
第１ネットワークノードは第１端末装置の伝送関連情報について少なくとも１つの第２ネットワークノードと通信し、前記第１ネットワークノードと前記第２ネットワークノードは前記第１端末装置にサービスを提供するステップと、
前記第１ネットワークノードは前記伝送関連情報に基づき前記第１端末装置をスケジューリングするステップと、を含むことを特徴とする無線通信方法。
【請求項２】
前記伝送関連情報は、
前記第１端末装置が前記第１ネットワークノードにアップリンク伝送を行う時間領域、周波数領域及び／又はコードドメイン利用可能リソース情報、
前記第１端末装置が前記第１ネットワークノードにアップリンク伝送を行う時の電力上限情報、保証電力情報、
前記第１端末装置が前記第１ネットワークノードにアップリンク伝送を行う時に採用する波形情報、
前記第１端末装置のサウンディング参照信号ＳＲＳで伝送される設定情報、
前記第１端末装置が前記第１ネットワークノードにアップリンク伝送を行う時に採用する送信ビーム情報、
前記第１ネットワークノードが前記第１端末装置からのアップリンク伝送を受信する時に採用する受信ビーム情報、
前記第１端末装置が前記第２ネットワークノードにアップリンク伝送を行う時間領域、周波数領域及び／又はコードドメイン利用可能リソース情報、
前記第１端末装置が前記第２ネットワークノードにアップリンク伝送を行う時の電力上限情報、保証電力情報、
前記第１端末装置が前記第２ネットワークノードにアップリンク伝送を行う時に採用する波形情報、
前記第１端末装置が前記第２ネットワークノードにアップリンク伝送を行う時に採用する送信ビーム情報、
前記第２ネットワークノードが前記第１端末装置からのアップリンク伝送を受信する時に採用する受信ビーム情報、
前記第１端末装置が前記第１端末装置と前記第１ネットワークノード及び／又は前記第２ネットワークノードとの間の伝送について報告するパワーヘッドルーム報告ＰＨＲ、
前記第１端末装置の能力情報のうちの少なくとも１種を含むことを特徴とする請求項１に記載の方法。
【請求項３】
前記第１端末装置の能力パラメータは、前記第１端末装置がサポートするトランスポート層数を含むことを特徴とする請求項２に記載の方法。
【請求項４】
係る前記伝送関連情報の種類は前記第１ネットワークノードと前記第２ネットワークノードとの間の通信リンクの品質指標に関連付けられていることを特徴とする請求項１〜３のいずれか一項に記載の方法。
【請求項５】
前記品質指標は容量、遅延及び信頼性のうちの少なくとも１種を含むことを特徴とする請求項４に記載の方法。
【請求項６】
前記第１ネットワークノードと前記第２ネットワークノードは同時に前記第１端末装置に物理ダウンリンク制御チャネルＰＤＣＣＨ又は物理ダウンリンク共有チャネルＰＤＳＣＨを送信することを特徴とする請求項１〜５のいずれか一項に記載の方法。
【請求項７】
前記第１ネットワークノードと前記第２ネットワークノードの間は異なる送信ビーム及び／又は異なるアンテナパネルによって前記第１端末装置にダウンリンク伝送を行うことを特徴とする請求項１〜６のいずれか一項に記載の方法。
【請求項８】
前記第１ネットワークノードと前記第２ネットワークノードは同一セルに属し、又は、
前記第１ネットワークノードと前記第２ネットワークノードは異なるセルに属することを特徴とする請求項１〜７のいずれか一項に記載の方法。
【請求項９】
前記第１端末装置は１つの端末装置であり、又は
前記第１端末装置は少なくとも１つの端末装置グループ中の端末装置からなり、又は
前記第１端末装置は少なくとも１つのセル中の端末装置からなることを特徴とする請求項１〜８のいずれか一項に記載の方法。
【請求項１０】
ネットワークノードであって、端末装置にサービスを提供する第１ネットワークノードであり、
第１端末装置の伝送関連情報について少なくとも１つの第２ネットワークノードと通信し、前記第１ネットワークノードと前記第２ネットワークノードは前記第１端末装置にサービスを提供する通信ユニットと、
前記伝送関連情報に基づき前記第１端末装置をスケジューリングするスケジューリングユニットと、を備えることを特徴とするネットワークノード。
【請求項１１】
前記伝送関連情報は、
前記第１端末装置が前記第１ネットワークノードにアップリンク伝送を行う時間領域、周波数領域及び／又はコードドメイン利用可能リソース情報、
前記第１端末装置が前記第１ネットワークノードにアップリンク伝送を行う時の電力上限情報、保証電力情報、
前記第１端末装置が前記第１ネットワークノードにアップリンク伝送を行う時に採用する波形情報、
前記第１端末装置のサウンディング参照信号ＳＲＳで伝送される設定情報、
前記第１端末装置が前記第１ネットワークノードにアップリンク伝送を行う時に採用する送信ビーム情報、
前記第１ネットワークノードが前記第１端末装置からのアップリンク伝送を受信する時に採用する受信ビーム情報、
前記第１端末装置が前記第２ネットワークノードにアップリンク伝送を行う時間領域、周波数領域及び／又はコードドメイン利用可能リソース情報、
前記第１端末装置が前記第２ネットワークノードにアップリンク伝送を行う時の電力上限情報、保証電力情報、
前記第１端末装置が前記第２ネットワークノードにアップリンク伝送を行う時に採用する波形情報、
前記第１端末装置が前記第２ネットワークノードにアップリンク伝送を行う時に採用する送信ビーム情報、
前記第２ネットワークノードが前記第１端末装置からのアップリンク伝送を受信する時に採用する受信ビーム情報、
前記第１端末装置が前記第１端末装置と前記第１ネットワークノード及び／又は前記第２ネットワークノードとの間の伝送について報告するパワーヘッドルーム報告ＰＨＲ、
前記第１端末装置の能力情報のうちの少なくとも１種を含むことを特徴とする請求項１０に記載のネットワークノード。
【請求項１２】
前記第１端末装置の能力パラメータは、前記第１端末装置がサポートするトランスポート層数を含むことを特徴とする請求項１１に記載のネットワークノード。
【請求項１３】
係る前記伝送関連情報の種類は前記第１ネットワークノードと前記第２ネットワークノードとの間の通信リンクの品質指標に関連付けられていることを特徴とする請求項１０〜１２のいずれか一項に記載のネットワークノード。
【請求項１４】
前記品質指標は容量、遅延及び信頼性のうちの少なくとも１種を含むことを特徴とする請求項１３に記載のネットワークノード。
【請求項１５】
前記第１ネットワークノードと前記第２ネットワークノードは少なくとも周波数領域が部分的に重なるキャリアによって同時に前記第１端末装置にＰＤＣＣＨ又はＰＤＳＣＨを送信することを特徴とする請求項１０〜１４のいずれか一項に記載のネットワークノード。
【請求項１６】
前記第１ネットワークノードと前記第２ネットワークノードの間は異なる送信ビーム及び／又は異なるアンテナパネルによって前記第１端末装置にダウンリンク伝送を行うことを特徴とする請求項１０〜１５のいずれか一項に記載のネットワークノード。
【請求項１７】
前記第１端末装置は１つの端末装置であり、又は
前記第１端末装置は少なくとも１つの端末装置グループ中の端末装置からなり、又は
前記第１端末装置は少なくとも１つのセル中の端末装置からなることを特徴とする請求項１０〜１６のいずれか一項に記載のネットワークノード。
【国際調査報告】
2020535669.tif 000009
2020535669.tif 000010
2020535669.tif 000011
2020535669.tif 000012